【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
絞りを含む撮影光学系を備えた交換レンズを装着可能で、当該交換レンズと通信可能な撮像装置であって、
前記撮影光学系を通過した光を光電変換して撮像信号を生成する撮像手段と、
装着された交換レンズに絞り制御信号を送信することにより絞りの駆動を制御可能であって、被写体輝度に応じて、ゲイン又は前記撮像手段の蓄積時間の少なくとも一方、及び絞りをプログラム線図を用いて制御することで、前記撮像手段の露出を制御可能な制御手段とを有し、
前記制御手段は、第１の交換レンズが装着された場合、所定の第１のプログラム線図を用いて露出を制御し、前記第１の交換レンズより絞りの分解能が大きい第２の交換レンズが装着された場合、当該第２の交換レンズから取得した情報に基づいて第２のプログラム線図を生成し、生成した当該第２のプログラム線図を用いて露出を制御することを特徴とする撮像装置。
【請求項２】
前記第２のプログラム線図を用いた露出制御において、前記制御手段は、絞りを駆動することにより露出を制御する際に、絞りの駆動に応じてゲインまたは蓄積時間を変化させることにより、絞りの駆動による露出変化を補整することを特徴とする請求項１に記載の撮像装置。
【請求項３】
前記第２の交換レンズが装着された場合、前記制御手段は、前記絞り制御信号を送信してから絞りが駆動するまでの時間についての第１の情報を前記第２の交換レンズより受信し、当該第１の情報に基づいて、前記第２のプログラム線図を生成することを特徴とする請求項１又は２に記載の撮像装置。
【請求項４】
前記第２のプログラム線図を用いた露出制御において、前記制御手段は、絞りを駆動することにより露出を制御する際に、前記第１の情報が示す時間に基づくタイミングでゲインまたは蓄積時間を変化させることを特徴とする請求項３に記載の撮像装置。
【請求項５】
前記第２のプログラム線図を用いた露出制御において、前記制御手段は、絞りを駆動することにより露出を制御する際に、前記第１の情報が示す時間に基づいて、絞りが駆動するタイミングでゲインまたは蓄積時間の変化をリセットすることを特徴とする請求項３又は４に記載の撮像装置。
【請求項６】
前記第２の交換レンズが装着された場合、前記制御手段は、さらに絞りの最小分解能分の輝度補正量についての第２の情報を前記交換レンズより受信し、前記第１の情報及び第２の情報に基づいて、前記第２のプログラム線図を生成することを特徴とする請求項３乃至５のいずれか１項に記載の撮像装置。
【請求項７】
前記第２のプログラム線図を用いた露出制御において、前記制御手段は、絞りを最小分解能分ずつ駆動することにより露出を制御する際に、絞りが停止している間に前記第２の情報に基づく輝度補正量を補完するようにゲイン又は蓄積時間を変化させることを特徴とする請求項６に記載の撮像装置。
【請求項８】
前記制御手段は、装着された交換レンズが前記第２の交換レンズの場合、前記第１の情報に基づいて、前記絞り制御信号を前記第２の交換レンズに送信することを特徴とする請求項１乃至７のいずれか１項に記載の撮像装置。
【請求項９】
前記第１のプログラム線図は、ゲイン又は蓄積時間の少なくとも一方、及び絞りの制御が被写体輝度に応じて規定されていることを特徴とする請求項１乃至８のいずれか１項に記載の撮像装置。
【請求項１０】
前記制御手段は、装着された交換レンズの識別情報に基づいて、当該交換レンズが前記第１の交換レンズと前記第２の交換レンズのいずれであるかを判別可能であることを特徴とする請求項１乃至９のいずれか１項に記載の撮像装置。
【請求項１１】
前記撮像装置は、生成したプログラム線図を記憶するための記憶手段を有し、
前記制御手段は、装着された交換レンズが前記第２の交換レンズの場合、生成した前記第２のプログラム線図を当該交換レンズの識別情報と関連づけて前記記憶手段に記憶することを特徴とする請求項１０に記載の撮像装置。
【請求項１２】
前記撮像装置は、前記第２の交換レンズが装着された際に、当該第２の交換レンズの識別情報が前記記憶手段に記憶されている場合、当該識別情報と関連づけて記憶されている前記第２のプログラム線図を用いて露出を制御することを特徴とする請求項１１に記載の撮像装置。
【請求項１３】
前記制御手段は、装着された交換レンズの識別情報を取得できなかった場合、警告を報知するとともに、前記第１のプログラム線図に基づいて露出を制御することを特徴とする請求項１０乃至１２のいずれか１項に記載の撮像装置。
【請求項１４】
前記制御手段は、装着された交換レンズの識別情報を取得できなかった場合、当該交換レンズへ絞りの駆動を指示する信号を送信するとともに、前記撮像手段への入射光量を測定し、当該入射光量が変化するまでに駆動した絞りの駆動量が第１の駆動量の場合、前記第１のプログラム線図に基づいて露出を制御し、当該絞りの駆動量が前記第１の駆動量より大きい第２の駆動量の場合、第３のプログラム線図を生成し、生成した当該第３のプログラム線図を用いて露出を制御し、
前記制御手段は、絞りを最小分解能分ずつ駆動することにより露出を制御する際に、絞りが停止している間に当該第２の駆動量分の入射光量の変化量を補完するようにゲイン又は蓄積時間を変化させる第３のプログラム線図を作成し、当該第３のプログラム線図に基づいて露出を制御することを特徴とする請求項１０乃至１２のいずれか１項に記載の撮像装置。
【請求項１５】
前記制御手段は、装着された交換レンズの識別情報を取得できなかった場合、当該交換レンズへ絞りの駆動を指示する信号を送信するとともに、当該信号を送信してからの経過時間を測定し、
前記入射光量が変化するまでに駆動した絞りの駆動量が前記第２の駆動量の場合、前記制御手段は、当該入射光量が変化するまでに要した時間に基づいて、絞りが駆動するタイミングでゲインまたは蓄積時間の変化をリセットすることを特徴とする請求項１４に記載の撮像装置。
【請求項１６】
前記制御手段は、前記入射光量が変化するまでに駆動した絞りの駆動量が前記第２の駆動量の場合、前記入射光量が変化するまでに要した時間についての情報に基づいて、前記絞り制御信号を交換レンズに送信することを特徴とする請求項１５に記載の撮像装置。
【請求項１７】
絞りを含む撮影光学系を備えた交換レンズを装着可能で、当該交換レンズと通信可能な撮像装置であって、
前記撮影光学系を通過した光を光電変換して撮像信号を生成する撮像手段と、
装着された交換レンズに絞り制御信号を送信することにより絞りの駆動を制御可能であって、被写体輝度に応じて、ゲイン又は前記撮像手段の蓄積時間の少なくとも一方、及び絞りをプログラム線図を用いて制御することで、前記撮像手段の露出を制御可能な制御手段とを有し、
前記制御手段は、第１の交換レンズが装着された場合、所定の第１のプログラム線図を用いて露出を制御し、前記第１の交換レンズより絞りの分解能が大きい第２の交換レンズが装着された場合、当該第２の交換レンズから取得した情報に基づく所定の制御を前記第１のプログラム線図に反映させて露出を制御し、
前記所定の制御において、前記制御手段は、絞りを駆動することにより露出を制御する際に、前記第２の交換レンズから取得した情報に基づいて、絞りの駆動に応じてゲインまたは蓄積時間を変化させることにより、絞りの駆動による露出変化を補整することを特徴とする撮像装置。
【請求項１８】
請求項１乃至１７のいずれか１項に記載の撮像装置に装着可能な交換レンズであって、
絞りを含む撮影光学系と、
前記撮像装置から絞り制御信号を受信し、当該絞り制御信号に基づいて前記絞りの駆動を制御するレンズ制御手段を有し、
前記レンズ制御手段は、前記絞り制御信号を送信してから絞りが駆動するまでの時間についての第１の情報、および、前記絞りの最小分解能分の輝度補正量についての第２の情報を前記撮像装置に送信することを特徴とする交換レンズ。
【請求項１９】
絞りを含む撮影光学系を備えた交換レンズを装着可能で、前記撮影光学系を通過した光を光電変換して撮像信号を生成する撮像手段を有し、当該交換レンズと通信可能な撮像装置の制御方法であって、
装着された交換レンズに絞り制御信号を送信するステップと、
被写体輝度に応じて、ゲイン又は前記撮像手段の蓄積時間の少なくとも一方、及び絞りをプログラム線図を用いて制御することで、前記撮像手段の露出を制御するステップとを有し、
第１の交換レンズが装着された場合、所定の第１のプログラム線図を用いて露出を制御し、前記第１の交換レンズより絞りの分解能が大きい第２の交換レンズが装着された場合、当該第２の交換レンズから取得した情報に基づいて第２のプログラム線図を生成し、生成した当該第２のプログラム線図を用いて露出を制御することを特徴とする撮像装置の制御方法。
【手続補正２】
【補正対象書類名】明細書
【補正対象項目名】発明の名称
【補正方法】変更
【補正の内容】
【発明の名称】撮像装置、交換レンズ、撮像装置の制御方法
【手続補正３】
【補正対象書類名】明細書
【補正対象項目名】００１０
【補正方法】変更
【補正の内容】
【００１０】
上記課題を鑑みて、本発明は、絞りを含む撮影光学系を備えた交換レンズを装着可能で、当該交換レンズと通信可能な撮像装置であって、前記撮影光学系を通過した光を光電変換して撮像信号を生成する撮像手段と、装着された交換レンズに絞り制御信号を送信することにより絞りの駆動を制御可能であって、被写体輝度に応じて、ゲイン又は前記撮像手段の蓄積時間の少なくとも一方、及び絞りをプログラム線図を用いて制御することで、前記撮像手段の露出を制御可能な制御手段とを有し、前記制御手段は、第１の交換レンズが装着された場合、所定の第１のプログラム線図を用いて露出を制御し、前記第１の交換レンズより絞りの分解能が大きい第２の交換レンズが装着された場合、当該第２の交換レンズから取得した情報に基づいて第２のプログラム線図を生成し、生成した当該第２のプログラム線図を用いて露出を制御することを特徴とする撮像装置である。